(57)【要約】【課題】    複数人の遺骨を、限られたスペースに効率よく納骨できる集合墓施設を提供する。【解決手段】少なくとも２以上の互いに仕切られた納骨室を内部に有し、設置面に設置される基礎部と、それぞれの納骨室ごとに、基礎部に立設される竿石部と、を備えてなる、集合墓施設である。【選択図】  図１
2017095912.tif 000002
【特許請求の範囲】
【請求項１】
少なくとも２以上の互いに仕切られた納骨室を内部に有し、設置面に設置される基礎部と、
それぞれの納骨室ごとに、基礎部に立設される竿石部と、
を備えてなる、集合墓施設。
【請求項２】
納骨室の水平面への正投影像と、該納骨室に対応する竿石部の水平面への正投影像と、が、互いに重なる部分を有するものである、請求項１に記載の集合墓施設。
【請求項３】
基礎部が、納骨室の上部を開閉する蓋部を有してなり、該納骨室に対応する竿石部が該蓋部の上面に配置されるものである、請求項２に記載の集合墓施設。
【請求項４】
前記蓋部が、両主表面を有する板状部材により形成され、該両主表面を連通する開口である蓋開口を有しているものである、請求項３に記載の集合墓施設。
【請求項５】
蓋開口を竿石部の下面が塞ぐように竿石部が配置されるものである、請求項４に記載の集合墓施設。
【請求項６】
基礎部が、納骨室を規定する壁部を有してなり、
蓋部が、該壁部により支持されるものである、請求項３乃至５のいずれか１に記載の集合墓施設。
【請求項７】
１の香炉部及び献花部が設けられたものである、請求項１乃至６のいずれか１に記載の集合墓施設。
【請求項８】
基礎部が、内部空間を側方から取り囲む外壁部と、該内部空間を各納骨室に分割する内壁部と、を有してなるものである、請求項１乃至７のいずれか１に記載の集合墓施設。
【請求項９】
外壁部が、無蓋無底の中空の直方体を略形成するものであり、該直方体の４の側面のうち互いに平行な一対の側面を形成する一対の板状部材である第１部材及び第２部材と、該直方体の４の側面のうち該一対の側面とは別の互いに平行な一対の側面を形成する一対の板状部材である第３部材及び第４部材と、が組まれたものを含むものである、請求項８に記載の集合墓施設。
【請求項１０】
第１部材、第２部材、第３部材及び第４部材のうちの少なくとも１の部材である対象部材を、対象部材の両端のうちいずれか一方が接合された隣接する隣接部材から取り外す場合、隣接部材に対して対象部材を前記直方体の開放された蓋方向又は底方向へ変位させることを要するものである、請求項９に記載の集合墓施設。
【請求項１１】
内壁部が、第１部材及び第２部材に略平行な前記内部空間を仕切る少なくとも１の一方向仕切り壁を有するものである、請求項９又は１０に記載の集合墓施設。
【請求項１２】
内壁部が、第３部材及び第４部材に略平行な前記内部空間を仕切る少なくとも１の他方向仕切り壁を有するものである、請求項１１に記載の集合墓施設。
【発明の詳細な説明】
【技術分野】
【０００１】
本発明は、集合墓施設に関し、より詳細には、複数人の遺骨を限られたスペースに効率よく納骨できる集合墓施設に関する。
【背景技術】
【０００２】
以前から、集合墓施設は種々のものが提案されてきた（例えば、特許文献１参照）。
特許文献１の集合墓施設は、『限られた土地に新たな敷地を創設できるようにし、土地の有効利用を図り、敷地内に個々に独立した墓を設けるようにして墓を持ちたいという個人の希望を満足させ、更に、墓自体の保存性を向上させるとともに遺骨の保存状態も良好にできる集合墓施設を提供することを目的』（特許文献１の段落番号０００４）としたもので、具体的には『フロアを有した複数の階がある建物を備え、上記フロアに区画した多数の敷地単体を設け、上記敷地単体に独立した墓を建てた構成としている。このことにより、１つの土地に階層的に複数階のフロアが設けられ、このフロアにそれぞれ墓の敷地が設けられるので、新たな敷地が創設されることになり、土地の有効利用が図られる。また、敷地を容易に入手できるようになるので、個人の墓を所有したいという希望を満足させることができる。更に、墓同士が離間して設置され、墓間にスペースが設けられるので、墓の独立性が確保され、この点でも、個人の墓を所有したいという希望を満足させることができる。更にまた、墓自体が建物の中にあるので雨風にさらされることがなく風化しにくいため墓を永く使用でき、また、墓に納められている遺骨の保存性も向上する。そして、必要に応じ、上記墓を、床壁，側壁及び屋根を備え内部に遺骨を収納する納骨部を構成する複数の部屋を設け、全体を家型形状に形成した構成としている。このことにより、墓に複数の部屋があるので遺骨の整理がしやすく遺骨の保存状態の管理も容易となる。』（特許文献１の段落番号０００５）というものである。
【先行技術文献】
【特許文献】
【０００３】
【特許文献１】特開平１１−２２９６６８号公報（例えば、要約、発明の詳細な説明中の段落番号０００１〜０００５、００１６、第１図〜第４図等）
【発明の概要】
【発明が解決しようとする課題】
【０００４】
特許文献１に開示の集合墓施設は、フロアを有した複数の階がある建物を備え、上記フロアに区画した多数の敷地単体を設け、上記敷地単体に独立した墓を建てることにより、１つの土地に階層的に複数階のフロアが設けられ、このフロアにそれぞれ墓の敷地が設けられるので、墓を建てる新たな敷地が創設され土地の有効利用を図るものである。即ち、１つの土地に建てられた建物が、墓の敷地となる複数階のフロアを有することで、該建物の敷地よりも墓の敷地を増加させることを要旨とし、建物の階層的な複数階構造による敷地増加により、敷地内に個々に独立した墓を設けるものである。従って、特許文献１に開示の集合墓施設は、墓を建てる敷地を増加させるものであって、墓自体が、複数人の遺骨を、限られたスペースに効率よく納骨できるようにするものではない。
そこで、本発明では、墓自体の構造によって、複数人の遺骨を、限られたスペースに効率よく納骨できる集合墓施設を提供することを目的とする。
【課題を解決するための手段】
【０００５】
本発明の集合墓施設（以下、「本施設」という）は、少なくとも２以上の互いに仕切られた納骨室を内部に有し、設置面に設置される基礎部と、それぞれの納骨室ごとに、基礎部に立設される竿石部と、を備えてなる、集合墓施設である。
本施設は、大まかには、設置面に設置される基礎部と、基礎部に立設される竿石部と、を備えてなる。
基礎部は、本施設が設置される設置面に設置され、少なくとも２以上の互いに仕切られた納骨室を内部に有する。基礎部がその内部に有する「互いに仕切られた納骨室」により、互いの納骨室に納骨された遺骨同士が接触せず混じることがない。
竿石部は、それぞれの納骨室ごとに基礎部に立設されるので、各納骨室に納骨された遺骨ごとに竿石部が設けられる。竿石部は、基礎部の表面から突出するように設けられ、形状は特に限定されるものではないが、柱状（例えば、角柱（例えば、直方体等の四角柱、三角柱、五角柱、六角柱等）、円柱、楕円柱等）、錐体状（例えば、角錐状（三角錐、四角錐、五角錐、六角錘等）、円錐状、半円錘状等等）、球形、半球形等を例示することができる。
このような本施設によれば、（１）それぞれの納骨室に納骨された遺骨同士が接触せず混じることがなく、（２）納骨室ごとに設けられた竿石部により、該納骨室に納骨された遺骨に係る故人を竿石部により明確に示すことができ、（１）及び（２）によって故人の尊厳を保持した状態で納骨することができる（例えば、納骨室に納骨された遺骨同士が接触したり混じるような場合には、各故人の独立性が失われうるし、複数の納骨室に対して１の竿石部が設けられる場合であれば、各納骨室の遺骨に係る故人に対する竿石部の関係が弱くなり、竿石部を設けることによる故人の存在表示が不明確になる。）。そして、本施設では、１の基礎部が２以上の納骨室を有すると共に、該１の基礎部に２以上（納骨室の個数と同数）の竿石部が立設される構成であるので、１の基礎部に１の竿石部が立設される従来の墓に比し、本施設は、複数人の遺骨を限られたスペースに効率よく納骨できるものである。
【０００６】
本施設においては、納骨室の水平面への正投影像と、該納骨室に対応する竿石部の水平面への正投影像と、が、互いに重なる部分を有するもの（以下、「上下配置本施設」という）であってもよい。
このように納骨室の水平面への正投影像と、該納骨室に対応する竿石部の水平面への正投影像と、が重なる部分を有することで、該納骨室と該竿石部とが上下に配置され（通常は、該納骨室が下で、該竿石部が上に配置される。）、納骨室とそれに対応する竿石部との関係を明確に示すことができる。これにより該納骨室に納骨された故人に係る情報を該竿石部の表面に表示することで、該故人の情報を明確に表示することができる。
【０００７】
上下配置本施設においては、基礎部が、納骨室の上部を開閉する蓋部を有してなり、該納骨室に対応する竿石部が該蓋部の上面に配置されるもの（以下、「蓋部具備本施設」という）であってもよい。
こうすることで、納骨室の上部を開閉するための蓋部の上面に竿石部が配置されることから、竿石部を支持する手段を別個に設ける必要がないので本施設の構成を簡単にすることができ、かつ竿石部の重量によって蓋部が押さえられることで蓋部が不意に移動することを防止することができる。
【０００８】
蓋部具備本施設においては、前記蓋部が、両主表面を有する板状部材により形成され、該両主表面を連通する開口である蓋開口を有しているもの（以下、「蓋開口具備本施設」という）であってもよい。
こうすることで、該両主表面を連通する蓋開口の部分を利用して、容易に蓋部を移動（例えば、上昇や下降等）させることができる（例えば、クレーンのフック等を蓋開口に係合させることで、該クレーンを動作させて蓋部を吊り上げたり（納骨室の上部を開放する）、蓋部を降下させる（納骨室の上部を閉じる）ことができる。）。このため本施設の設置工事や納骨作業を容易かつ安全に行うことができる。
【０００９】
蓋開口具備本施設においては、蓋開口を竿石部の下面が塞ぐように竿石部が配置されるものであってもよい。
蓋開口を開放したままでは、異物（例えば、雨水やゴミ等）が蓋開口を経由して納骨室に進入するおそれがあるが、このように蓋開口を竿石部下面が塞ぐように竿石部を配置することで、このような納骨室への異物進入を防止又は減少させることができる。
【００１０】
蓋部具備本施設においては、基礎部が、納骨室を規定する壁部を有してなり、蓋部が、該壁部により支持されるものであってもよい。
こうすることで、蓋部が、納骨室を規定する壁部により支持されるので、蓋部を支持する別個の手段を設ける必要がないので本施設の構成を簡単にすることができる。
【００１１】
本施設においては、１の香炉部及び献花部が設けられたものであってもよい。
１の基礎部に１の竿石部が設けられる従来の墓においては、通常、該墓への参拝者が利用する香炉部（線香を供えるもの）及び献花部（花を供えるもの）も各墓ごとに設けられており、これら香炉部及び献花部が大きなスペースをとるものであった。これに対し、このように１の本施設（複数の納骨室及び竿石部を有する）において１の香炉部及び献花部を設けるようにすれば、従来の墓に比して省スペースに資することができる。
【００１２】
本施設においては、基礎部が、内部空間を側方から取り囲む外壁部と、該内部空間を各納骨室に分割する内壁部と、を有してなるもの（以下、「内外壁部具備本施設」という）であってもよい。
こうすることで、外壁部が外部空間と仕切ることで内部空間を形成し、内壁部が該内部空間を仕切り分割することで、該仕切り分割された該内部空間の部分が各納骨室を構成するので、各納骨室をそれぞれ独立した部材により形成するのに比し、使用する部材を少なくできると共に省スペースに資することができる。外壁部が内部空間を側方から取り囲むとは、外壁部が、設置面に存する閉じた曲線（１又は２以上の線分を含んでよい）に沿って設置面から上方に向かって立ち上がるように配設されていることをいう。
【００１３】
内外壁部具備本施設においては、外壁部が、無蓋無底の中空の直方体を略形成するものであり、該直方体の４の側面のうち互いに平行な一対の側面を形成する一対の板状部材である第１部材及び第２部材と、該直方体の４の側面のうち該一対の側面とは別の互いに平行な一対の側面を形成する一対の板状部材である第３部材及び第４部材と、が組まれたものを含むもの（以下、「板状部材組み付け本施設」という）であってもよい。
このように外壁部が、互いに略平行な一対の板状部材である第１部材及び第２部材と、互いに略平行な一対の板状部材である第３部材及び第４部材と、の４の部材が組まれることで、無蓋無底の中空の直方体（該直方体の４の側面のうち互いに平行な一対の側面を第１部材及び第２部材が形成し、該直方体の４の側面のうち該一対の側面とは別の互いに平行な一対の側面を第３部材及び第４部材が形成する。）を略形成すれば、４の板状部材という汎用で容易に入手できる部材を用いて外壁部を容易に構成することができる。また、外壁部が無蓋無底の中空の直方体を略形成することで、内壁部が、外壁部が形成する内部空間（略直方体をなす）を無駄な空間を形成することなく各納骨室に効率よく分割することができると共に、本施設が設置される土地の多くが略長方形であることが多いので、この略長方形の土地の輪郭に沿った基礎部とすることができる（外壁部の下縁が略長方形であるので、これと土地の輪郭が沿ったものとすることができる。）。
なお、前記の第１部材及び第２部材と、第３部材及び第４部材と、を組むには、第１部材の両端のうち一端と第３部材の両端のうち一端とが接合され、第１部材の両端のうち他端と第４部材の両端のうち一端とが接合され、第２部材の両端のうち一端と第３部材の両端のうち他端とが接合され、そして第２部材の両端のうち他端と第４部材の両端のうち他端とが接合されるようにしてもよい。
【００１４】
板状部材組み付け本施設においては、第１部材、第２部材、第３部材及び第４部材のうちの少なくとも１の部材である対象部材を、対象部材の両端のうちいずれか一方が接合された隣接する隣接部材から取り外す場合、隣接部材に対して対象部材を前記直方体の開放された蓋方向又は底方向へ変位させることを要するものであってもよい。
このように対象部材を隣接部材から取り外す場合（例えば、第１部材が対象部材であれば、第３部材又は第４部材が隣接部材となる。）、隣接部材に対して対象部材を前記直方体（外壁部が形成する無蓋無底の直方体）の開放された蓋方向（上方向）又は底方向（下方向）へ変位させることを要するようにすれば、対象部材と隣接部材との組み付けが不意に外れることを防止又は減少させることができるので、本施設を安定して使用できると共に、対象部材と隣接部材との接合に要する別個の手段（例えば、接合部材等）を減少又は不要とすることができる。また、対象部材は、第１部材、第２部材、第３部材及び第４部材のうちの少なくとも１の部材とすればよいが、これら４の全部の部材を対象部材とすれば、これら４の部材のいずれも不意に外れることを防止又は減少させることができる。
【００１５】
板状部材組み付け本施設においては、内壁部が、第１部材及び第２部材に略平行な前記内部空間を仕切る少なくとも１の一方向仕切り壁を有するもの（以下、「一方向仕切り本施設」という）であってもよい。
こうすることで一方向仕切り壁が、第１部材及び第２部材に略平行に前記内部空間を仕切るので、第１部材と第２部材との間に複数の納骨室を形成できる。
【００１６】
一方向仕切り本施設においては、内壁部が、第３部材及び第４部材に略平行な前記内部空間を仕切る少なくとも１の他方向仕切り壁を有するものであってもよい。
こうすることで一方向仕切り壁が第１部材及び第２部材に略平行に前記内部空間を仕切ると共に、一方向仕切り壁が該仕切った前記内部空間を他方向仕切り壁が第３部材及び第４部材に略平行に仕切るので、一方向仕切り壁と他方向仕切り壁とにより前記内部空間を格子状に分割することで納骨室が形成され、多くの納骨室を効率よく形成できる。
【図面の簡単な説明】
【００１７】
【図１】本発明の一実施形態に係る集合墓施設（本施設）を示す斜視図である。
【図２】本施設を示す正面図である。
【図３】本施設を示す平面図である。
【図４】本施設を示す右側面図である。
【図５】図２のＤ−Ｄ断面図（供え部は省略）である。
【図６】図２のＥ−Ｅ断面図（供え部は省略）である。
【図７】図３のＦ−Ｆ端面図である。
【図８】図３のＧ−Ｇ断面斜視図である。
【図９】図３のＧ−Ｇ断面図である。
【図１０】図１０（ａ）は図９の円Ｊの拡大図であり、図１０（ｂ）は図９の円Ｋの拡大図である。
【図１１】図１１（ａ）は本施設を設置する第１ステップを示す図であり、図１１（ｂ）は本施設を設置する第２ステップを示す図である。
【図１２】図１２（ａ）は本施設を設置する第３ステップを示す図であり、図１２（ｂ）は本施設を設置する第４ステップを示す図である。
【図１３】図１３（ａ）は本施設を設置する第５ステップを示す図であり、図１３（ｂ）は本施設を設置する第６ステップを示す図である。
【発明を実施するための形態】
【００１８】
以下、本発明の実施の形態を図面を参照して説明する。しかしながら、これらによって本発明は何ら制限されるものではない。
【００１９】
図１は、本発明の一実施形態に係る集合墓施設（本施設）１１を示す斜視図であり、図２は本施設１１を示す正面図（図１中、矢印Ａ方向から見たところを示している）であり、図３は本施設１１を示す平面図（図１中、矢印Ｂ方向から見たところを示している）であり、図４は本施設１１を示す右側面図（図１中、矢印Ｃ方向から見たところを示している）であり、図５は図２のＤ−Ｄ断面図（但し、図示及び理解を容易にするため、後述の供え部２１は図示を省略している。）であり、図６は図２のＥ−Ｅ断面図（但し、図示及び理解を容易にするため、後述の供え部２１は図示を省略している。）であり、図７は図３のＦ−Ｆ端面図であり、図８は図３のＧ−Ｇ断面斜視図であり、図９は図３のＧ−Ｇ断面図であり、図１０は図９の一部拡大図（詳細には、図１０（ａ）は図９の円Ｊの拡大図であり、図１０（ｂ）は図９の円Ｋの拡大図である。）である。図１乃至図１０を参照して、本施設１１について説明する。
【００２０】
本施設１１は、ここでは土表面１０１（本施設１１を設置する面）に配設されており、大まかには、土表面１０１に配設された基礎部４１と、基礎部４１の上面に配設された竿石部３１と、基礎部４１の正面側に配設された供え部２１と、備えてなる。
また、供え部２１に献花や焼香をする直立した者（不図示）から見て、「上」、「下」、「右」、「左」、「前」、「後」をそれぞれ「上」（図中にて矢印Ｚ１にて示す。）、「下」（図中にて矢印Ｚ２にて示す。）、「右」（図中にて矢印Ｘ１にて示す。）、「左」（図中にて矢印Ｘ２にて示す。）、「前」（図中にて矢印Ｙ１にて示す。）、「後」（図中にて矢印Ｙ２にて示す。）として説明する。
【００２１】
基礎部４１は、土表面１０１に面する略直方体形状の内部空間５１の側面を取り囲む外面部５３と、内部空間５１を仕切る仕切り部５５と、内部空間５１が仕切り部５５により仕切られることで形成された素空間５２各々の上面を閉じる蓋部５７と、を含んでなる。
【００２２】
外面部５３は、両主表面が略長方形をなす前板部４２と、両主表面が略長方形をなす後板部４３と、両主表面が略長方形をなす右板部４４と、両主表面が略長方形をなす左板部４５と、を有してなり、前板部４２と後板部４３とはそれぞれの主表面が互いに略平行に配置され、右板部４４と左板部４５とはそれぞれの主表面が互いに略平行に配置され（前板部４２及び後板部４３と、右板部４４及び左板部４５と、は互いに略垂直になるように配置されている。）、前板部４２右端部と右板部４４前端部とは互いに固定され、前板部４２左端部と左板部４５前端部とは互いに固定され、後板部４３右端部と右板部４４後端部とは互いに固定され、後板部４３左端部と左板部４５後端部とは互いに固定されることで、外面部５３全体としては無蓋無底の略直方体形状をなしている。
【００２３】
仕切り部５５は、前板部４２及び後板部４３に略平行になるように一端が右板部４４に取り付けられると共に他端が左板部４５に取り付けられた左右仕切り板５５ａと（左右仕切り板５５ａと前板部４２との間の距離と、左右仕切り板５５ａと後板部４３との間の距離と、は略等しくされている。）、右板部４４及び左板部４５に略平行になるように一端が前板部４２に取り付けられると共に他端が左右仕切り板５５ａに取り付けられた前側前後仕切り板５５ｂａ１、５５ｂａ２、５５ｂａ３、５５ｂａ４、５５ｂａ５、５５ｂａ６と、右板部４４及び左板部４５に略平行になるように一端が左右仕切り板５５ａに取り付けられると共に他端が後板部４３に取り付けられた後側前後仕切り板５５ｂｂ１、５５ｂｂ２、５５ｂｂ３、５５ｂｂ４、５５ｂｂ５、５５ｂｂ６と、を含んでなる。ここに前側前後仕切り板５５ｂａ１、５５ｂａ２、５５ｂａ３、５５ｂａ４、５５ｂａ５、５５ｂａ６は互いに略等間隔に配置され（左板部４５と前側前後仕切り板５５ｂａ１との間隔と、右板部４４と前側前後仕切り板５５ｂａ６との間隔と、は該等間隔にされている。）、後側前後仕切り板５５ｂｂ１、５５ｂｂ２、５５ｂｂ３、５５ｂｂ４、５５ｂｂ５、５５ｂｂ６は互いに略等間隔に配置され（左板部４５と後側前後仕切り板５５ｂｂ１との間隔と、右板部４４と後側前後仕切り板５５ｂｂ６との間隔と、は該等間隔にされている。）、そして、前側前後仕切り板５５ｂａ１と後側前後仕切り板５５ｂｂ１とは、左板部４５及び右板部４４に平行な仮想上の一平面に略属するように配置され、前側前後仕切り板５５ｂａ２と後側前後仕切り板５５ｂｂ２とは、左板部４５及び右板部４４に平行な仮想上の一平面に略属するように配置され、前側前後仕切り板５５ｂａ３と後側前後仕切り板５５ｂｂ３とは、左板部４５及び右板部４４に平行な仮想上の一平面に略属するように配置され、前側前後仕切り板５５ｂａ４と後側前後仕切り板５５ｂｂ４とは、左板部４５及び右板部４４に平行な仮想上の一平面に略属するように配置され、前側前後仕切り板５５ｂａ５と後側前後仕切り板５５ｂｂ５とは、左板部４５及び右板部４４に平行な仮想上の一平面に略属するように配置され、そして前側前後仕切り板５５ｂａ６と後側前後仕切り板５５ｂｂ６とは、左板部４５及び右板部４４に平行な仮想上の一平面に略属するように配置されている。また、左右仕切り板５５ａの下縁と、前側前後仕切り板５５ｂａ１、５５ｂａ２、５５ｂａ３、５５ｂａ４、５５ｂａ５、５５ｂａ６の下縁と、後側前後仕切り板５５ｂｂ１、５５ｂｂ２、５５ｂｂ３、５５ｂｂ４、５５ｂｂ５、５５ｂｂ６の下縁と、は外面部５３が形成する前記無蓋無底の略直方体の下面に属する。そして、左右仕切り板５５ａの上縁と、前側前後仕切り板５５ｂａ１、５５ｂａ２、５５ｂａ３、５５ｂａ４、５５ｂａ５、５５ｂａ６の上縁と、後側前後仕切り板５５ｂｂ１、５５ｂｂ２、５５ｂｂ３、５５ｂｂ４、５５ｂｂ５、５５ｂｂ６の上縁と、は外面部５３が形成する前記無蓋無底の略直方体の上面に属する。
このように外面部５３の内部空間５１を仕切り部５５（左右仕切り板５５ａ、前側前後仕切り板５５ｂａ１〜５５ｂａ６、後側前後仕切り板５５ｂｂ１〜５５ｂｂ６）が仕切ることで、内部空間５１は１４の素空間５２（素空間５２ａ１、５２ａ２、５２ａ３、５２ａ４、５２ａ５、５２ａ６、５２ａ７、５２ｂ１、５２ｂ２、５２ｂ３、５２ｂ４、５２ｂ５、５２ｂ６、５２ｂ７）に分割されている。
【００２４】
各々の素空間５２ａ１、５２ａ２、５２ａ３、５２ａ４、５２ａ５、５２ａ６、５２ａ７、５２ｂ１、５２ｂ２、５２ｂ３、５２ｂ４、５２ｂ５、５２ｂ６、５２ｂ７の上部を閉じるように蓋部５７ａ１、５７ａ２、５７ａ３、５７ａ４、５７ａ５、５７ａ６、５７ａ７、５７ｂ１、５７ｂ２、５７ｂ３、５７ｂ４、５７ｂ５、５７ｂ６、５７ｂ７がそれぞれ設けられている。
これら蓋部５７ｂ１、５７ｂ２、５７ｂ３、５７ｂ４、５７ｂ５、５７ｂ６、５７ｂ７いずれも、後板部４３の、素空間５２ｂ１、５２ｂ２、５２ｂ３、５２ｂ４、５２ｂ５、５２ｂ６、５２ｂ７側に形成された支持面４３ｓ（特に、図１０（ｂ）参照）と、左右仕切り板５５ａの、素空間５２ｂ１、５２ｂ２、５２ｂ３、５２ｂ４、５２ｂ５、５２ｂ６、５２ｂ７側に形成された支持面５５ａｓ１（特に、図１０（ａ）参照）と、に跨がるように支持されている。
同様に、蓋部５７ａ１、５７ａ２、５７ａ３、５７ａ４、５７ａ５、５７ａ６、５７ａ７いずれも、前板部４２の、素空間５２ａ１、５２ａ２、５２ａ３、５２ａ４、５２ａ５、５２ａ６、５２ａ７側に形成された支持面４２ｓ（特に、図９参照。図１０（ｂ）に示した支持面４３ｓと同様の形状を有する。）と、左右仕切り板５５ａの、素空間５２ａ１、５２ａ２、５２ａ３、５２ａ４、５２ａ５、５２ａ６、５２ａ７側に形成された支持面５５ａｓ２（特に、図１０（ａ）参照）と、に跨がるように支持されている。
これによって蓋部５７ａ１〜５７ａ７、５７ｂ１〜５７ｂ７は、素空間５２ａ１〜５２ａ７、５２ｂ１〜５２ｂ７の上部を丁度閉じるように配設されている（なお、蓋部５７ａ１〜５７ａ７、５７ｂ１〜５７ｂ７はいずれも、主表面が略長方形をなす板状部材により形成され、それぞれが閉鎖する素空間の上部をうまく閉鎖できるように該上部の形状及び寸法に対応する形状及び寸法とされている。）。具体的には、素空間５２ａ１〜５２ａ７、５２ｂ１〜５２ｂ７いずれも直方体形状を略なすので、これら直方体形状の上面に対応する略長方形形状（上述の如く、支持面４３ｓ、支持面５５ａｓ１、支持面４２ｓ、支持面５５ａｓ２に載置される部分である載置縁部を該上面に加えたような形状）の両主表面を有する板状部材により蓋部５７ａ１〜５７ａ７、５７ｂ１〜５７ｂ７は形成されている。
また、蓋部５７ａ１〜５７ａ７、５７ｂ１〜５７ｂ７いずれも、両主表面を連通する貫通孔５７ａ１ｈ、５７ａ２ｈ、５７ａ３ｈ、５７ａ４ｈ、５７ａ５ｈ、５７ａ６ｈ、５７ａ７ｈ、５７ｂ１ｈ、５７ｂ２ｈ、５７ｂ３ｈ、５７ｂ４ｈ、５７ｂ５ｈ、５７ｂ６ｈ、５７ｂ７ｈを有する（貫通孔５７ａ１ｈ〜５７ａ７ｈ、５７ｂ１ｈ〜５７ｂ７ｈは、蓋部５７ａ１〜５７ａ７、５７ｂ１〜５７ｂ７の両主表面が形成する長方形の対角線の交点を中心とした円形に略形成されている。）。
【００２５】
蓋部５７ａ１〜５７ａ７、５７ｂ１〜５７ｂ７それぞれに、竿石部３１ａ１、３１ａ２、３１ａ３、３１ａ４、３１ａ５、３１ａ６、３１ａ７、３１ｂ１、３１ｂ２、３１ｂ３、３１ｂ４、３１ｂ５、３１ｂ６、３１ｂ７が載置されている。竿石部３１ａ１〜３１ａ７、３１ｂ１〜３１ｂ７いずれも、従来の竿石と同様、家名、埋葬者戒名、埋葬者俗名及び埋葬者没年等の表示を刻んで表すために用いられるものである（ここでは該表示の図示を省略している。）。
竿石部３１ａ１〜３１ａ７、３１ｂ１〜３１ｂ７は、いずれも略直方体形状を有しており、蓋部５７ａ１〜５７ａ７、５７ｂ１〜５７ｂ７の貫通孔５７ａ１ｈ〜５７ａ７ｈ、５７ｂ１ｈ〜５７ｂ７ｈを竿石部３１ａ１〜３１ａ７、３１ｂ１〜３１ｂ７の下面が覆うような位置に配置されている。
【００２６】
供え部２１は、土表面１０１に配設された厚板状の基礎部２２と、基礎部２２の上面の左右両側に一対立設された花立部２３ａ、２３ｂと、一対の花立部２３ａ、２３ｂの間の基礎部２２の上面に配設された香炉部２４と、を有してなり、従来の墓に設けられていた花立と同様に花立部２３ａ、２３ｂは供花に用いることができ、従来の墓に設けられていた香炉と同様に香炉部２４は線香を供えることに用いることができる。
【００２７】
次いで、本施設１１の設置方法（製造方法）について説明する。
図１１（ａ）は、本施設１１を設置する第１ステップを示す図である。図１１（ａ）に示した通り、土表面１０１に外面部５３を形成する。具体的には、右板部４４の主表面が土表面１０１に対して略垂直になるように右板部４４の下縁が土表面１０１に接すると共に、左板部４５の主表面が土表面１０１に対して略垂直になるように左板部４５の下縁が土表面１０１に接するように配置する（この状態で右板部４４及び左板部４５を保持する。）。そして、前板部４２の主表面が土表面１０１に対して略垂直になるように前板部４２の下縁が土表面１０１に接するように配置する（このとき前板部４２の両端に存する前板係合部４２ａ、４２ｂが、右板部４４の前端に存する右板前係合部４４ｂと、左板部４５の前端に存する左板前係合部４５ａと、に係合するようにする。）と共に、後板部４３の主表面が土表面１０１に対して略垂直になるように後板部４３の下縁が土表面１０１に接するように配置する（このとき後板部４３の両端に存する後板係合部４３ａ、４３ｂが、右板部４４の後端に存する右板後係合部４４ａと、左板部４５の後端に存する左板後係合部（図１１（ａ）中には現れないが、右板後係合部４４ａと同様の形状及び構造を有する。）と、に係合するようにする。）。前板係合部４２ｂに当接する右板前係合部４４ｂの面は、前方向が高くなる上り勾配（土表面１０１（略水平面）に対して前方向に行くにつれて高くなる。図４中、勾配Ｑ１。）がついていると共に左方向が高くなる上り勾配（土表面１０１（略水平面）に対して左方向に行くにつれて高くなる。図２中、勾配Ｑ２。）がついているので、右板部４４に対して前板部４２を前方向及び左方向のいずれに移動させて取り外す場合も右板前係合部４４ｂに対して前板係合部４２ｂを上昇させる必要があるので右板部４４に対して前板部４２が不意に外れることを防止又は減少させることができる。後板係合部４３ａに当接する右板後係合部４４ａの面は、後方向が高くなる上り勾配（土表面１０１（略水平面）に対して後方向に行くにつれて高くなる。図４中、勾配Ｑ３。）がついていると共に左方向が高くなる上り勾配（土表面１０１（略水平面）に対して左方向に行くにつれて高くなる。前述の勾配Ｑ２と同様。）がついているので、右板部４４に対して後板部４３を後方向及び左方向のいずれに移動させて取り外す場合も右板後係合部４４ａに対して後板係合部４３ａを上昇させる必要があるので右板部４４に対して後板部４３が不意に外れることを防止又は減少させることができる。同様に、前板係合部４２ａに当接する左板前係合部４５ａの面は、前方向が高くなる上り勾配（土表面１０１（略水平面）に対して前方向に行くにつれて高くなる。前述の勾配Ｑ１と同様。）がついていると共に右方向が高くなる上り勾配（土表面１０１（略水平面）に対して右方向に行くにつれて高くなる。図２中、勾配Ｑ４。）がついているので、左板部４５に対して前板部４２を前方向及び右方向のいずれに移動させて取り外す場合も左板前係合部４５ａに対して前板係合部４２ａを上昇させる必要があるので左板部４５に対して前板部４２が不意に外れることを防止又は減少させることができる。後板係合部４３ｂに当接する左板後係合部（図に現れない）の面は、後方向が高くなる上り勾配（土表面１０１（略水平面）に対して後方向に行くにつれて高くなる。前述の勾配Ｑ３と同様。）がついていると共に右方向が高くなる上り勾配（土表面１０１（略水平面）に対して右方向に行くにつれて高くなる。前述の勾配Ｑ４と同様。）がついているので、左板部４５に対して後板部４３を後方向及び右方向のいずれに移動させて取り外す場合も左板後係合部に対して後板係合部４３ｂを上昇させる必要があるので左板部４５に対して後板部４３が不意に外れることを防止又は減少させることができる。以上のように、前板部４２、後板部４３、右板部４４及び左板部４５を互いに組み付けることで、図１１（ａ）に示す外面部５３が形成される。
【００２８】
図１１（ｂ）は、本施設１１を設置する第２ステップを示す図である。第２ステップにおいては、前述の第１ステップにて形成した外面部５３に左右仕切り板５５ａを組み付ける。具体的には、左右仕切り板５５ａの一端を右板部４４に取り付けると共に左右仕切り板５５ａの他端を左板部４５に取り付ける。このとき図１１（ａ）に示したように、左板部４５の内面には、左右仕切り板５５ａの該他端の縁部を受け入れ係合する係合溝４５ｄが上下方向に連続して予め形成されているので、左右仕切り板５５ａの該他端の縁部を係合溝４５ｄの上端から係合溝４５ｄにスライドさせ嵌入することで左右仕切り板５５ａの該他端を左板部４５に取り付けることができる。同様に、図には現れないが、右板部４４の内面には、左右仕切り板５５ａの該一端の縁部を受け入れ係合する係合溝が上下方向に連続して予め形成されているので、左右仕切り板５５ａの該一端の縁部を該係合溝の上端から該係合溝にスライドさせ嵌入することで左右仕切り板５５ａの一端を右板部４４に取り付けることができる。
【００２９】
図１２（ａ）は、本施設１１を設置する第３ステップを示す図である。第３ステップにおいては、前述の第２ステップにて組み付けられた左右仕切り板５５ａ及び外面部５３に、前側前後仕切り板５５ｂａ１、５５ｂａ２、５５ｂａ３、５５ｂａ４、５５ｂａ５、５５ｂａ６と、後側前後仕切り板５５ｂｂ１、５５ｂｂ２、５５ｂｂ３、５５ｂｂ４、５５ｂｂ５、５５ｂｂ６と、を取り付ける。
具体的には、前側前後仕切り板５５ｂａ１、５５ｂａ２、５５ｂａ３、５５ｂａ４、５５ｂａ５、５５ｂａ６いずれも一端が前板部４２に取り付けられると共に他端が左右仕切り板５５ａに取り付けられる。左右仕切り板５５ａには、図１１（ｂ）に示すように前側前後仕切り板５５ｂａ１〜５５ｂａ６の該他端の縁部を嵌入する係合溝５５ａｄが上下方向に連続して予め形成されているので、前側前後仕切り板５５ｂａ１〜５５ｂａ６の該他端の縁部を係合溝５５ａｄの上端から係合溝５５ａｄにスライド嵌入することで前側前後仕切り板５５ｂａ１〜５５ｂａ６の該他端を左右仕切り板５５ａに取り付ける。そして、図には現れないが、前板部４２の内面には前側前後仕切り板５５ｂａ１〜５５ｂａ６の該一端の縁部を嵌入する係合溝（後述の係合溝４３ｄと同様のもの）が上下方向に連続して予め形成されているので、前側前後仕切り板５５ｂａ１〜５５ｂａ６の該一端の縁部を該係合溝の上端から該係合溝にスライド嵌入することで前側前後仕切り板５５ｂａ１〜５５ｂａ６の該一端を前板部４２に取り付ける。
また、後側前後仕切り板５５ｂｂ１、５５ｂｂ２、５５ｂｂ３、５５ｂｂ４、５５ｂｂ５、５５ｂｂ６いずれも一端が左右仕切り板５５ａに取り付けられると共に他端が後板部４３に取り付けられる。後板部４３には、図１１（ｂ）に示すように後側前後仕切り板５５ｂｂ１、５５ｂｂ２、５５ｂｂ３、５５ｂｂ４、５５ｂｂ５、５５ｂｂ６の該他端の縁部を嵌入する係合溝４３ｄが上下方向に連続して予め形成されているので、後側前後仕切り板５５ｂｂ１〜５５ｂｂ６の該他端の縁部を係合溝４３ｄの上端から係合溝４３ｄにスライドさせ嵌入することで後側前後仕切り板５５ｂｂ１〜５５ｂｂ６の該他端を後板部４３に取り付ける。また、図には現れないが、左右仕切り板５５ａには後側前後仕切り板５５ｂｂ１〜５５ｂｂ６の該一端の縁部を嵌入する係合溝（前述の係合溝５５ａｄと同様のもの）が上下方向に連続して予め形成されているので、後側前後仕切り板５５ｂｂ１〜５５ｂｂ６の該一端の縁部を該係合溝の上端から該係合溝にスライド嵌入することで後側前後仕切り板５５ｂｂ１〜５５ｂｂ６の該一端を左右仕切り板５５ａに取り付ける。以上のようにして、外面部５３に仕切り部５５（左右仕切り板５５ａと、前側前後仕切り板５５ｂａ１〜５５ｂａ６と、後側前後仕切り板５５ｂｂ１〜５５ｂｂ６と、を含んでなる。）を形成する。
【００３０】
図１２（ｂ）は、本施設１１を設置する第４ステップを示す図である。第４ステップにおいては、前述の第３ステップにて組み付けられた仕切り部５５及び外面部５３に、蓋部５７ａ１、５７ａ２、５７ａ３、５７ａ４、５７ａ５、５７ａ６、５７ａ７、５７ｂ１、５７ｂ２、５７ｂ３、５７ｂ４、５７ｂ５、５７ｂ６、５７ｂ７を配設する。
前述の如く、蓋部５７ｂ１、５７ｂ２、５７ｂ３、５７ｂ４、５７ｂ５、５７ｂ６、５７ｂ７いずれも、後板部４３の支持面４３ｓ（図１０（ｂ）、図１２（ａ）参照）と、左右仕切り板５５ａの支持面５５ａｓ１（図１０（ａ）参照）と、に跨がるように支持される（図９参照）。同様に、蓋部５７ａ１、５７ａ２、５７ａ３、５７ａ４、５７ａ５、５７ａ６、５７ａ７いずれも、前板部４２の支持面４２ｓ（図９参照）と、左右仕切り板５５ａの支持面５５ａｓ２（図１０（ａ）、図１２（ａ）参照）と、に跨がるように支持される（図９参照）。
なお、図９及び図１０は、蓋部５７ａ７及び蓋部５７ｂ７を示しているが、その他の蓋部５７ａ１〜５７ａ６、５７ｂ１〜５７ｂ６も同様に支持される。
また、これら蓋部５７ａ１〜５７ａ７、５７ｂ１〜５７ｂ７は、貫通孔５７ａ１ｈ〜５７ａ７ｈ、５７ｂ１ｈ〜５７ｂ７ｈにクレーンのフック等を係合させることで吊り上げたり降下させることができる。
【００３１】
図１３（ａ）は、本施設１１を設置する第５ステップを示す図である。第５ステップにおいては、前述の第４ステップにて配設された蓋部５７ａ１、５７ａ２、５７ａ３、５７ａ４、５７ａ５、５７ａ６、５７ａ７、５７ｂ１、５７ｂ２、５７ｂ３、５７ｂ４、５７ｂ５、５７ｂ６、５７ｂ７それぞれに、竿石部３１ａ１、３１ａ２、３１ａ３、３１ａ４、３１ａ５、３１ａ６、３１ａ７、３１ｂ１、３１ｂ２、３１ｂ３、３１ｂ４、３１ｂ５、３１ｂ６、３１ｂ７を載置する。
ここでは竿石部３１ａ１〜３１ａ７、３１ｂ１〜３１ｂ７は蓋部５７ａ１〜５７ａ７、５７ｂ１〜５７ｂ７の上面に載置されるのみであるが、これは素空間５２ａ１、５２ａ２、５２ａ３、５２ａ４、５２ａ５、５２ａ６、５２ａ７、５２ｂ１、５２ｂ２、５２ｂ３、５２ｂ４、５２ｂ５、５２ｂ６、５２ｂ７に納骨等する際の作業性を考慮したものであるので（素空間５２ａ１〜５２ａ７、５２ｂ１〜５２ｂ７へ納骨するには、竿石部３１ａ１〜３１ａ７、３１ｂ１〜３１ｂ７を取り除いた後に蓋部５７ａ１〜５７ａ７、５７ｂ１〜５７ｂ７を開放等して行う必要があるので、竿石部３１ａ１〜３１ａ７、３１ｂ１〜３１ｂ７を容易に取り除くことができるようにするため載置のみとしている。なお、前述の貫通孔５７ａ１ｈ、５７ａ２ｈ、５７ａ３ｈ、５７ａ４ｈ、５７ａ５ｈ、５７ａ６ｈ、５７ａ７ｈ、５７ｂ１ｈ、５７ｂ２ｈ、５７ｂ３ｈ、５７ｂ４ｈ、５７ｂ５ｈ、５７ｂ６ｈ、５７ｂ７ｈは、それらが形成されている蓋部５７ａ１〜５７ａ７、５７ｂ１〜５７ｂ７を開放したり閉じたりする際に蓋部５７ａ１〜５７ａ７、５７ｂ１〜５７ｂ７を吊り下げるための係部分である。）、納骨等が完了し蓋部５７ａ１〜５７ａ７、５７ｂ１〜５７ｂ７の開放が不要になれば、竿石部３１ａ１〜３１ａ７、３１ｂ１〜３１ｂ７を蓋部５７ａ１〜５７ａ７、５７ｂ１〜５７ｂ７上面に接着等してもよい。
【００３２】
図１３（ｂ）は、本施設１１を設置する第６ステップを示す図である。第６ステップにおいては供え部２１を配設する。具体的には、土表面１０１に基礎部２２を設置し、基礎部２２の上面に花立部２３ａ、２３ｂを立設し、基礎部２２の上面に香炉部２４を設置する。
以上のようにして、本施設１１が完成される。なお、上述の第５ステップと第６ステップとはいずれを先に行ってもよいし（順序を問わない）、場合によっては両ステップを並行して行うこともできる。
【００３３】
このような本施設１１は、互いに仕切られ独立した素空間５２ａ１、５２ａ２、５２ａ３、５２ａ４、５２ａ５、５２ａ６、５２ａ７、５２ｂ１、５２ｂ２、５２ｂ３、５２ｂ４、５２ｂ５、５２ｂ６、５２ｂ７を有し、これら素空間５２ａ１〜５２ａ７、５２ｂ１〜５２ｂ７それぞれに対応して竿石部３１ａ１〜３１ａ７、３１ｂ１〜３１ｂ７を有しているので、１４の素空間５２ａ１〜５２ａ７、５２ｂ１〜５２ｂ７それぞれに別の者の遺骨を納めると共に、その者に対応した情報（例えば、家名、埋葬者戒名、埋葬者俗名及び埋葬者没年等）を竿石部３１ａ１〜３１ａ７、３１ｂ１〜３１ｂ７表面に表すことができる。即ち、本施設１１は、１４人の遺骨を別々に収納すると共に、それら１４人それぞれの情報（例えば、家名、埋葬者戒名、埋葬者俗名及び埋葬者没年等）を表すことができるので、従来の墓のように個々の埋葬者ごとに独立した墓を設置する場合に比し、場所をとらず（省スペース）、用いる石材も少なくてすむものである。また、一部の集合墓に見られるように、複数の者の遺骨を混合して収納するものとは異なり、それぞれの者の遺骨を別々に納骨することができる（複数の者の遺骨を混合して納骨する方法を嫌う者にも、本施設１１の納骨方法は問題を生じない。）。
【００３４】
なお、納骨作業は、上述した通り、素空間５２ａ１〜５２ａ７、５２ｂ１〜５２ｂ７のうち納骨するものの上部に存する竿石部３１ａ１〜３１ａ７、３１ｂ１〜３１ｂ７を一時的に取り除き、貫通孔５７ａ１ｈ〜５７ａ７ｈ、５７ｂ１ｈ〜５７ｂ７ｈを用いて蓋部５７ａ１〜５７ａ７、５７ｂ１〜５７ｂ７をクレーン等で吊り上げて素空間を開放し、該開放した素空間に納骨する。その後、開放していた蓋部を元の位置に戻して該素空間を閉じた後、取り除いていた竿石部を元通り戻して納骨作業が完了する。また、家名、埋葬者戒名、埋葬者俗名及び埋葬者没年等の納骨した者に係る情報を竿石部３１ａ１〜３１ａ７、３１ｂ１〜３１ｂ７表面に表すことは、従来の墓と同様、納骨前及び納骨後のいずれかに適宜行うことができる。
そして、素空間５２ａ１〜５２ａ７、５２ｂ１〜５２ｂ７、蓋部５７ａ１〜５７ａ７、５７ｂ１〜５７ｂ７及び竿石部３１ａ１〜３１ａ７、３１ｂ１〜３１ｂ７の配置（ここでは１の素空間と１の蓋部と１の竿石部とが１つの組となっており、ここでは複数（１４個）の組が存在するが、複数のその組の互いの配置位置）は、ここでは左右方向に７個とし前後方向に２個とされているが、これに限定されるものではなく、例えば、左右方向Ｍ個×前後方向Ｎ個（Ｍ及びＮは、それぞれ１、２、３、４、５・・・の自然数であり、Ｍ及びＮは同一でも異なってもよく、（Ｍ×Ｎ）の値は２以上である。）の配列としたり、平面視（例えば、図３）において内部空間５１を円形や楕円形とし、その中心から放射状に内部空間５１を区切って素空間を形成する（例えば、平面視において食品のピザを切り分けたような状態）ようにしてもよい。
【００３５】
以上説明の通り、本施設１１は、少なくとも２以上（ここでは１４）の互いに仕切られた納骨室（ここでは素空間５２ａ１、５２ａ２、５２ａ３、５２ａ４、５２ａ５、５２ａ６、５２ａ７、５２ｂ１、５２ｂ２、５２ｂ３、５２ｂ４、５２ｂ５、５２ｂ６、５２ｂ７）を内部に有し、設置面（ここでは土表面１０１）に設置される基礎部４１と、それぞれの納骨室（素空間５２ａ１〜５２ａ７、５２ｂ１〜５２ｂ７）ごとに、基礎部４１に立設される竿石部３１ａ１、３１ａ２、３１ａ３、３１ａ４、３１ａ５、３１ａ６、３１ａ７、３１ｂ１、３１ｂ２、３１ｂ３、３１ｂ４、３１ｂ５、３１ｂ６、３１ｂ７と、を供えてなる、集合墓施設である。
本施設１１においては、納骨室（素空間５２ａ１〜５２ａ７、５２ｂ１〜５２ｂ７）の水平面への正投影像と、該納骨室に対応する竿石部（竿石部３１ａ１〜３１ａ７、３１ｂ１〜３１ｂ７）の水平面への正投影像と、が、互いに重なる部分を有するものである。詳細に説明すれば、ｃはａ又はｂであり、ｎは１〜７の整数とすると、納骨室たる素空間５２ｃｎの水平面への正投影像と、該納骨室たる素空間５２ｃｎに対応する竿石部３１ｃｎの水平面への正投影像と、が、互いに重なる部分を有する（ここでは納骨室たる素空間５２ｃｎの水平面への正投影像が、該納骨室たる素空間５２ｃｎに対応する竿石部３１ｃｎの水平面への正投影像を含む。）。
【００３６】
本施設１１においては、基礎部４１が、納骨室（素空間５２ａ１〜５２ａ７、５２ｂ１〜５２ｂ７）の上部を開閉する蓋部５７ａ１、５７ａ２、５７ａ３、５７ａ４、５７ａ５、５７ａ６、５７ａ７、５７ｂ１、５７ｂ２、５７ｂ３、５７ｂ４、５７ｂ５、５７ｂ６、５７ｂ７を有してなり、該納骨室（素空間５２ａ１〜５２ａ７、５２ｂ１〜５２ｂ７）に対応する竿石部３１ａ１〜３１ａ７、３１ｂ１〜３１ｂ７が該蓋部５７ａ１〜５７ａ７、５７ｂ１〜５７ｂ７の上面に配置されるものである。詳細には、納骨室たる素空間５２ｃｎ（但し、ｃはａ又はｂであり、ｎは１〜７の整数である。）に対応する竿石部３１ｃｎが蓋部５７ｃｎの上面に配置される。
本施設１１においては、前記蓋部５７ａ１〜５７ａ７、５７ｂ１〜５７ｂ７が、両主表面を有する板状部材により形成され、該両主表面を連通する開口である蓋開口（ここでは貫通孔５７ａ１ｈ、５７ａ２ｈ、５７ａ３ｈ、５７ａ４ｈ、５７ａ５ｈ、５７ａ６ｈ、５７ａ７ｈ、５７ｂ１ｈ、５７ｂ２ｈ、５７ｂ３ｈ、５７ｂ４ｈ、５７ｂ５ｈ、５７ｂ６ｈ、５７ｂ７ｈ）を有しているものである。
【００３７】
本施設１１においては、蓋開口（貫通孔５７ａ１ｈ〜５７ａ７ｈ、５７ｂ１ｈ〜５７ｂ７ｈ）を竿石部３１ａ１〜３１ａ７、３１ｂ１〜３１ｂ７の下面が塞ぐように竿石部３１ａ１〜３１ａ７、３１ｂ１〜３１ｂ７が配置されるものである。
本施設１１においては、基礎部４１が、納骨室（素空間５２ａ１〜５２ａ７、５２ｂ１〜５２ｂ７）を規定する壁部（ここでは外面部５３、仕切り部５５）を有してなり、蓋部５７ａ１〜５７ａ７、５７ｂ１〜５７ｂ７が、該壁部（外面部５３、仕切り部５５）により支持されるものである。
本施設１１においては、１の香炉部２４及び献花部（ここでは花立部２３ａ、２３ｂ）が設けられたものである。
【００３８】
本施設１１においては、基礎部４１が、内部空間５１を側方から取り囲む外壁部（ここでは外面部５３）と、該内部空間５１を各納骨室（素空間５２ａ１〜５２ａ７、５２ｂ１〜５２ｂ７）に分割する内壁部（ここでは仕切り部５５）と、を有してなるものである。
本施設１１においては、外壁部（外面部５３）が、無蓋無底の中空の直方体を略形成するものであり（外面部５３全体としては無蓋無底の略直方体形状をなす）、該直方体の４の側面のうち互いに平行な一対の側面を形成する一対の板状部材である第１部材（例えば、ここでは前板部４２）及び第２部材（例えば、ここでは後板部４３）と、該直方体の４の側面のうち該一対の側面とは別の互いに平行な一対の側面を形成する一対の板状部材である第３部材（例えば、ここでは右板部４４）及び第４部材（例えば、ここでは左板部４５）と、が組まれたものを含むものである。第１部材（前板部４２）の両端のうち一端と第３部材（右板部４４）の両端のうち一端とが接合され、第１部材（前板部４２）の両端のうち他端と第４部材（左板部４５）の両端のうち一端とが接合され、第２部材（後板部４３）の両端のうち一端と第３部材（右板部４４）の両端のうち他端とが接合され、第２部材（後板部４３）の両端のうち他端と第４部材（左板部４５）の両端のうち他端とが接合されている。
【００３９】
本施設１１においては、第１部材（前板部４２）、第２部材（後板部４３）、第３部材（右板部４４）及び第４部材（左板部４５）のうちの少なくとも１（ここでは４全て）の部材である対象部材を、対象部材の両端のうちいずれか一方が接合された隣接する隣接部材から取り外す場合、隣接部材に対して対象部材を前記直方体の開放された蓋方向又は底方向へ変位させることを要するものである。
本施設１１においては、内壁部（仕切り部５５）が、第１部材（前板部４２）及び第２部材（後板部４３）に略平行な前記内部空間５１を仕切る少なくとも１の一方向仕切り壁（ここでは左右仕切り板５５ａ）を有するものである。
本施設１１においては、内壁部（仕切り部５５）が、第３部材（右板部４４）及び第４部材（左板部４５）に略平行な前記内部空間５１を仕切る少なくとも１の他方向仕切り壁（ここでは前側前後仕切り板５５ｂａ１、５５ｂａ２、５５ｂａ３、５５ｂａ４、５５ｂａ５、５５ｂａ６と、後側前後仕切り板５５ｂｂ１、５５ｂｂ２、５５ｂｂ３、５５ｂｂ４、５５ｂｂ５、５５ｂｂ６と、を含んで構成される。）を有するものである。
【符号の説明】
【００４０】
１１        本施設
２１        供え部
２２        基礎部
２３ａ、２３ｂ  花立部
２４        香炉部
３１、３１ａ１、３１ａ２、３１ａ３、３１ａ４、３１ａ５、３１ａ６、３１ａ７、３１ｂ１、３１ｂ２、３１ｂ３、３１ｂ４、３１ｂ５、３１ｂ６、３１ｂ７            竿石部
４１        基礎部
４２        前板部
４２ａ、４２ｂ  前板係合部
４２ｓ      支持面
４３        後板部
４３ａ      後板係合部
４３ａ、４３ｂ  後板係合部
４３ｄ      係合溝
４３ｓ      支持面
４４        右板部
４４ａ      右板後係合部
４４ｂ      右板前係合部
４５        左板部
４５ａ      左板前係合部
４５ｄ      係合溝
５１        内部空間
５２、５２ａ１、５２ａ２、５２ａ３、５２ａ４、５２ａ５、５２ａ６、５２ａ７、５２ｂ１、５２ｂ２、５２ｂ３、５２ｂ４、５２ｂ５、５２ｂ６、５２ｂ７            素空間
５３        外面部
５５        仕切り部
５５ａ      左右仕切り板
５５ａｄ    係合溝
５５ａｓ１、５５ａｓ２  支持面
５５ｂａ１、５５ｂａ２、５５ｂａ３、５５ｂａ４、５５ｂａ５、５５ｂａ６              前側前後仕切り板
５５ｂｂ１、５５ｂｂ２、５５ｂｂ３、５５ｂｂ４、５５ｂｂ５、５５ｂｂ６              後側前後仕切り板
５７、５７ａ１、５７ａ２、５７ａ３、５７ａ４、５７ａ５、５７ａ６、５７ａ７、５７ｂ１、５７ｂ２、５７ｂ３、５７ｂ４、５７ｂ５、５７ｂ６、５７ｂ７            蓋部
５７ａ１ｈ、５７ａ２ｈ、５７ａ３ｈ、５７ａ４ｈ、５７ａ５ｈ、５７ａ６ｈ、５７ａ７ｈ、５７ｂ１ｈ、５７ｂ２ｈ、５７ｂ３ｈ、５７ｂ４ｈ、５７ｂ５ｈ、５７ｂ６ｈ、５７ｂ７ｈ  貫通孔
１０１        土表面
【図１】
2017095912.tif 000003
【図２】
2017095912.tif 000004
【図３】
2017095912.tif 000005
【図４】
2017095912.tif 000006
【図５】
2017095912.tif 000007
【図６】
2017095912.tif 000008
【図７】
2017095912.tif 000009
【図８】
2017095912.tif 000010
【図９】
2017095912.tif 000011
【図１０】
2017095912.tif 000012
【図１１】
2017095912.tif 000013
【図１２】
2017095912.tif 000014
【図１３】
2017095912.tif 000015